(57)【要約】【課題】バリの押し潰しを行うバリ押し潰し部とエジェクタ部材とを一体的に回転自在に備えた下金型を提供する。【解決手段】板状のワークの切断縁下部に生じたバリを除去するための下金型であって、パンチプレスにおけるダイホルダ３に支持される下型本体５を備え、この下型本体５内に上下方向の軸心回りに回転自在な回転本体１３を備え、この回転本体１３の中心位置に、上端部に円錐形状のバリ押し潰し部１７を備えたピン部材１５を備え、前記ピン部材１５が上下に貫通自在な貫通穴３１を備えたエジェクタ部材２１を、前記回転本体１３に上下動自在かつ当該回転本体１３と一体的に回転自在に備えている。【選択図】図１
2016203200.tif 000002
【特許請求の範囲】
【請求項１】
板状のワークの切断縁下部に生じたバリを除去するための下金型であって、パンチプレスにおけるダイホルダに支持される下型本体を備え、この下型本体内に上下方向の軸心回りに回転自在な回転本体を備え、この回転本体の中心位置に、上端部に円錐形状のバリ押し潰し部を備えたピン部材を備え、前記ピン部材が上下に貫通自在な貫通穴を備えたエジェクタ部材を、前記回転本体に上下動自在かつ当該回転本体と一体的に回転自在に備えていることを特徴とする下金型。
【請求項２】
請求項１に記載の下金型において、前記エジェクタ部材の上面は凸曲面に形成してあり、かつ常態においては、前記ピン部材の前記バリ押し潰し部は前記エジェクタ部材の上面と同一高さ又は上面から没入してあることを特徴とする下金型。
【請求項３】
請求項１又は２に記載の下金型において、前記ピン部材の上端部に備えたバリ押し潰し部の形状は、截頭円錐形状であって、前記ピン部材の上面中央部に突出してあることを特徴とする下金型。
【発明の詳細な説明】
【技術分野】
【０００１】
本発明は、ワークの１例としての金属板の切断加工、打抜き加工等の剪断加工を行った際に、ワーク下面に生じたバリを押し潰して除去するための下金型に係り、さらに詳細には、ワークを支持するエジェクタプレート（エジェクタ部材）を上下動自在かつワークの移動に追従して回転自在に備えた下金型に関する。
【背景技術】
【０００２】
例えば、タレットパンチプレスなどのプレス機械に備えた上下の金型によって板状のワークに打抜き加工や切断加工等の剪断加工を行うと、加工縁の下部にバリを生じるものである。そこで、プレス機械に備えた別個の上下の金型によってバリの除去（押し潰し）を行うことが提案されている（例えば、特許文献１，２参照）。
【先行技術文献】
【特許文献】
【０００３】
【特許文献１】特許第４９１６１０４号公報
【特許文献２】特許第４６５９０２６号公報
【発明の概要】
【発明が解決しようとする課題】
【０００４】
前記特許文献１に記載の構成は、タレットパンチプレスにおける下部タレットに、バリ除去を行う工具としてのボールを備えた下型を装着して使用する構成である。そして、前記下型を加工位置に割出し位置決めした後に、パンチプレスに備えた下型昇降手段によって、前記下型を所定高さに上昇して使用するものである。したがって、特許文献１に記載の構成においては、下型昇降手段を必要とするものである。
【０００５】
引用文献２に記載の工具下側部分は、上端部に円錐形の加圧面を備えたピン状の転動体を、垂直な軸心回りに回転自在に備えた構成である。そして、前記加圧面は、工具下側部分におけるワーク台架の上面から常に突出した状態にある。したがって、特許文献２に記載の工具下側部分を、特許文献１に記載の下部タレットに装着して使用する場合は、前記下型昇降手段を省略することができる。
【０００６】
しかし、特許文献２に記載の工具下側部分を、特許文献１に記載の下部タレットに装着すると、工具下側部分における加圧面は、ワークが水平に移動されるパスラインから常に突出した状態にあり、タレットパンチプレスによってプレス加工を行う板状のワークの下面に擦り傷を生じ易い、という新たな問題を生じることになる。
【課題を解決するための手段】
【０００７】
本発明は、前述のごとき問題に鑑みてなされたもので、板状のワークの切断縁下部に生じたバリを除去するための下金型であって、パンチプレスにおけるダイホルダに支持される下型本体を備え、この下型本体内に上下方向の軸心回りに回転自在な回転本体を備え、この回転本体の中心位置に、上端部に円錐形状のバリ押し潰し部を備えたピン部材を備え、前記ピン部材が上下に貫通自在な貫通穴を備えたエジェクタ部材を、前記回転本体に上下動自在かつ当該回転本体と一体的に回転自在に備えていることを特徴とするものである。
【０００８】
また、前記下金型において、前記エジェクタ部材の上面は凸曲面に形成してあり、かつ常態においては、前記ピン部材の前記バリ押し潰し部は前記エジェクタ部材の上面と同一高さ又は上面から没入してあることを特徴とするものである。
【０００９】
また、前記下金型において、前記ピン部材の上端部に備えたバリ押し潰し部の形状は、截頭円錐形状であって、前記ピン部材の上面中央部に突出してあることを特徴とするものである。
【発明の効果】
【００１０】
本発明によれば、上端部にバリ押し潰し部を備えたピン部材に対してエジェクタ部材を上下動自在かつ前記ピン部材と一体的に回転自在に備えているので、エジェクタ部材でもって、ワーク下面がピン部材の上端部に接触することを防止できるものである。
【図面の簡単な説明】
【００１１】
【図１】本発明の実施形態に係る下金型の構成を示す断面説明図である。
【図２】ピン部材の上端部に備えたバリ押し潰し部の拡大説明図である。
【発明を実施するための形態】
【００１２】
図１を参照するに、本発明の実施形態に係る下金型１は、例えばタレットパンチプレス（図示省略）におけるダイホルダの１例としての下部タレット３に着脱自在に支持される構成である。前記下金型１は、前記下部タレット３におけるダイ装着孔３Ｈ内に支持される円筒形状の下型本体５を備えている。この下型本体５内には、スラスト軸受部７及びラジアル軸受部９を備えた軸受ブロック１１が備えられている。そして、前記軸受ブロック１１には、回転本体１３が上下方向の軸心回りに水平に回転自在に支持されている。なお、前記スラスト軸受部７とラジアル軸受部９は、それぞれ別個に設けてもよいものである。
【００１３】
前記回転本体１３は、前記ラジアル軸受部９に回転自在に支持された上下方向の軸部１３Ａの上部に、前記スラスト軸受部７に回転自在に支持された大径の軸部１３Ｂを一体に備えた構成である。この大径軸部１３Ｂの上面中央部（中心位置）には、ピン部材１５が上方向に突出して備えられている。このピン部材１５の上端部には、板状のワークＷの切断縁下側に生じたバリ（図示省略）の除去（押し潰し）を行うバリ押し潰し部１７が備えられている。
【００１４】
より詳細には、前記バリ押し潰し部１７は、図２に示すように、前記ピン部材１５の上面中央部に上方向に僅かに突出して備えられている。前記バリ押し潰し部１７は、截頭円錐形状に形成してあって、円錐面１９は凹曲面に形成してある。前記バリ押し潰し部１７は、ワークＷに形成した、例えば四角形状の穴における角部付近のバリの押し潰しも可能なように、小径（中間高さ位置の直径が１ｍｍ〜２ｍｍ）に形成してあり、前記ピン部材１５の上面１５Ｆからの突出高さは前記直径よりも小さな寸法に設定してある。
【００１５】
すなわち、図２に想像線で示すように、ワークＷの切断縁下側を前記円錐面１９に強固に押圧してバリの押し潰しを行うとき、ピン部材１５の変形を抑制するために、前記バリ押し潰し部１７の直径は、ピン部材１５の直径に比較して約１／３程度に小さく設定してある。換言すれば、ピン部材１５の剛性を大きく保持しつつ、角穴の角部付近のバリ潰しが可能なように、バリ押し潰し部１７の径を小さくし、かつバリ押し潰し部１７の剛性を大きく保持するために、バリ押し潰し部１７の前記上面１５Ｆからの突出高さは、当該バリ押し潰し部１７の直径よりも小さく設定してある。なお、前記ピン部材１５の上面１５Ｆは、バリの押し潰し時に、ワークＷとの接触を回避すべく、外周側が僅かに低くなるテーパ面に形成してある。
【００１６】
前記回転本体１３における大径軸部１３Ｂの外周には、ワークＷを支持する筒状のエジェクタ部材２１が上下動自在に備えられている。より詳細には、前記エジェクタ部材２１は、前記大径軸部１３Ｂの上面において周方向に適宜間隔に備えた複数のコイルスプリングなどのごとき弾性部材２３によって常に上方向に押圧付勢されている。前記エジェクタ部材２１の上方向への移動を規制するために、前記エジェクタ部材２１には、前記大径軸部１３Ｂの外周面に周方向に適宜間隔に備えた上下方向の溝２５に先端部が上下動自在に係合した複数の規制ピン２７が備えられている。
【００１７】
したがって、前記溝２５の上端部において前記規制ピン２７の上方向への移動が規制されることにより、前記エジェクタ部材２１の上方向への移動が規制されるものである。また、前記溝２５と規制ピン２７との係合により、前記回転本体１３に対するエジェクタ部材２１の相対的な回転が規制されるものである。前記エジェクタ部材２１の上面２９は、中央部が最も高位置となる球面形状などのごとき凸曲面に形成してあり、中央部には、前記ピン部材１５が上下に貫通自在な貫通穴３１が備えられている。
【００１８】
前記構成において、エジェクタ部材２１が弾性部材２３によって常に上方向へ押圧付勢され、かつエジェクタ部材２１の上方向への移動が規制された状態においては、前記ピン部材１５の上端部に備えた前記バリ押し潰し部１７の上面は、前記エジェクタ部材２１の最上部の上面と同一高さに、又はエジェクタ部材２１の上面から僅かに没入した状態にあるものである。したがって、常態においては、ワークＷはエジェクタ部材２１に支持され、前記バリ押し潰し部１７に対して非接触状態に保持されるものである。
【００１９】
以上のごとき構成において、下金型１をタレットパンチプレスにおける下部タレットに装着した状態であって、前記下金型１がタレットパンチプレスの加工位置に割出し位置決めされることなく、前記加工位置から離れた状態にあるときは、前記ピン部材１５に備えた前記バリ押し潰し部１７はエジェクタ部材２１の上面と同一高さ、又はエジェクタ部材２１の上面から没入した状態にある。したがって、常態においては、下金型１上を通過するワークＷは下金型１におけるエジェクタ部材２１に支持されることになる。よって、ワークＷの下面が前記バリ押し潰し部１７に接触して擦り傷を生じるようなことはないものである。
【００２０】
タレットパンチプレスによってワークＷに穴の打抜き加工や剪断加工を行った際に、剪断縁下側に生じたバリの除去（押し潰し）を行うには、前記下金型１を、前記加工位置に割出し位置決めする。そして、タレットパンチプレスに備えられているワーク移動位置決め手段によって、ワークＷの剪断縁を、図２に想像線で示すように、下金型１に備えたピン部材１５のバリ押し潰し部１７における円錐面１９に対応した位置に位置決めする。
【００２１】
その後、タレットパンチプレスの上部タレットに装着されている上金型（図示省略）を下降し、この上金型に備えられているボール、ローラなどのごときワーク押圧転動部材３３によってワークＷにおける剪断縁の上部を押圧すると、弾性部材２３の付勢力に抗してエジェクタ部材２１が下降される。エジェクタ部材２１が下降されると、ワークＷの剪断縁下側に生じていたバリはバリ押し潰し部１７における円錐面１９へ強力に押圧されて押し潰される（除去される）ことになる。したがって、上述のように、ワークＷの剪断縁下部をバリ押し潰し部１７における円錐面１９へ強力に押圧した状態を保持して、ワークＷの剪断縁下部に沿って下金型１を相対的に移動することにより、剪断縁下部に生じたバリを押し潰すことができることになる。
【００２２】
前述のように、ワークＷの剪断縁下部に沿って下金型１を相対的に移動するとき、ピン部材１５は上下方向の軸心回りに回転される。また、エジェクタ部材２１も前記ピン部材２１と一体的に回転するものである。前述したように、バリ押し潰し部１７における円錐面１９へワークＷの剪断縁下部を強固に押圧しつつ相対的に移動するとき、ピン部材１５における上面１５Ｆは、外周側が僅かに低くなるテーパ面に形成してあるので、前記上面１５ＦはワークＷの下面から逃げることとなり、接触による擦れが抑制されるものである。
【００２３】
また、前記バリ押し潰し部１７は、ピン部材１５に比較して小径（例えば直径が１ｍｍ〜２ｍｍ）であっても、突出寸法が小さいので剛性を大きく保持できるものである。したがって、例えば四角形状の穴の角部付近のバリを押し潰す場合であっても、バリ押し潰し部１７が変形するようなことがなく、バリの押し潰しを容易に行い得るものである。
【００２４】
以上のごとき説明から理解されるように、本実施形態に係る下金型１によれば、常態においては、ワークＷは、下金型１に上下動自在に備えたエジェクタ部材２１に支持されて、バリ押し潰し部１７に接触するようなことがないので、ワークＷの下面に擦り傷を生じるようなことはないものである。また、例えば角穴の角部付近のバリ潰しをも行うべくバリ押し潰し部１７の径を小さくした場合であっても、ピン部材１５の上面１５Ｆからのバリ押し潰し部１７の突出高さは、バリ押し潰し部１７の直径寸法よりも小さいので、バリ押し潰し部１７の剛性を大きく保持することができ、角穴の角部付近のバリ潰しをも容易に行い得るものである。
【００２５】
なお、前記説明においては、回転本体１３とピン部材１５とを別個に設けたが一体に設けることも可能である。
【符号の説明】
【００２６】
１  下金型
５  下型本体
１３  回転本体
１５  ピン部材
１５Ｆ  上面
１７  バリ押し潰し部
１９  円錐面
２１  エジェクタ部材
２３  弾性部材
２９  上面
３１  貫通穴
【図１】
2016203200.tif 000003
【図２】
2016203200.tif 000004